(57)【要約】【課題】光源にＬＥＤを採用し、このＬＥＤをカップリング内に（カップリング内の）各部のレイアウトを変えることなしに、有効に設置する。【解決手段】この光源内蔵型カップリング１では、光源にＬＥＤ照明装置５を採用する。そして、このＬＥＤ照明装置５の回路基板７を光源ケース１１内に収容保持し、この光源ケース１１をカップリング１の（軸芯方向に延びる）光源埋め込み穴１８に差し込んで装着する。そして、この光源ケース１１の一端から突出された回路基板７の接続口に（ＬＥＤ素子を有する）発光部６を接続する。【選択図】図２
2010201045.tif 000002
【特許請求の範囲】
【請求項１】
内部に光導伝体を備えたハンドピース本体に接続可能な本体側接続部と、各種流体を供給するチューブに接続可能なチューブ側接続部と、前記光導伝体に対向配置される光源とを備えた光源内蔵型カップリングにおいて、
前記光源に、ＬＥＤチップを有する発光部と、前記発光部に電気的に接続され、前記ＬＥＤチップを所定の電圧で通電する基板とを有するＬＥＤ照明装置が採用され、
当該ＬＥＤ照明装置の装着形式は、
少なくとも前記基板の周囲を包囲可能な筒形形状の光源ケースと、
前記光源ケースをその外形に沿って埋め込み可能な光源埋め込み穴と、
を備え、
前記基板が前記光源ケース内に収容保持され、この光源ケースが前記光源埋め込み穴に差し込まれる、
ことを特徴とする光源内蔵型カップリング。
【請求項２】
基板の一端部に、発光部側の接続端子と接続される基板側の接続端子を備え、光源ケースは、前記基板の周囲をその外形に沿って包囲可能な筒形形状部と、前記筒形形状部の一端から突出され、前記基板側の接続端子をその外形に沿って包囲可能な筒形突状部とを有する請求項１に記載の光源内蔵型カップリング。
【請求項３】
基板の他端部に電源に接続されるプラグを備え、光源ケースは、当該ケースの他端に一体的に嵌合可能で、かつ前記基板の他端部側を取り囲み、前記プラグを挿通保持可能なケース端部材を併せて備え、このケース端部材により前記ケース内で前記基板が前記プラグとともに固定保持される請求項１又は２に記載の光源内蔵型カップリング。
【請求項４】
光源ケースの表面又は光源埋め込み穴の内面の一方に前記光源ケースの埋め込み方向に延びる凹状ガイド、他方に当該凹状ガイドに係合可能な凸状ガイドを備え、これら凹状ガイド及び凸状ガイドの係合により、前記光源ケースの前記光源埋め込み穴に対する埋め込み方向を案内し、位置決めする請求項１乃至３のいずれかに記載の光源内蔵型カップリング。
【請求項５】
チューブ側接続部にチューブから供給される空気又は水の通路を備え、光源埋め込み穴はチューブ側接続部に前記空気又は水の通路に近接して形成され、ＬＥＤ照明装置が前記通路の空気又は水により冷却される請求項１乃至４のいずれかに記載の光源内蔵型カップリング。
【発明の詳細な説明】
【技術分野】
【０００１】
本発明は、歯科用ハンドピースに使用する光源内蔵型カップリングに関する。
【背景技術】
【０００２】
歯科用ハンドピースは、先端に切削工具やスケーラなどの歯科用工具が取り付けられ、工具を作動させるためのエアや電気などが、ハンドピース本体を通じて工具の駆動部に供給されるようになっている。この種の歯科用ハンドピースが例えば特許文献１に記載されている。この文献１のハンドピースはエアータービン方式のハンドピースで、ハンドピース本体が、工具を駆動する空気圧駆動タービンユニットを内蔵するヘッド部と、ヘッド部に連接されるネック部と、ネック部に連接されるグリップ部とを備え、このハンドピース本体内部には、先端と後端との間に給気、給水、排気などの流体通路が形成され、さらにハンドピースの先端（ヘッド部）に取り付けられる歯科用工具を臨む先端側所定の位置と後端との間に光導伝体が配設される。この場合、光導伝体の光の入射端（受光面）がハンドピース本体後端面の軸芯に配置される。そして、このハンドピース本体の後端に、カップリングを介して、給気、給水、排気など各種の流体を供給するチューブが接続され、併せて光導伝体の受光面に光源が対向配置される。この種のカップリングは、ハンドピース本体に形成された流体通路に連通可能な通路、及びハンドピース本体から導出された光導伝体を通す通路を有し、ハンドピース本体に接続可能な本体側接続部と、各種の流体を供給するチューブに連通可能な通路、及び本体側接続部に対する連接端面の、本体側接続部の光導伝体を通す通路に対向する位置に光源を有し、チューブを接続可能なチューブ側接続部とを備え、ハンドピース本体の流体通路とチューブとを接続するとともに、ハンドピース本体から導出された光導伝体に光源を対向配置する。
【先行技術文献】
【特許文献】
【０００３】
【特許文献１】特開平８−１５４９４９号公報（段落０００３−段落０００８、図３、図４）
【発明の概要】
【発明が解決しようとする課題】
【０００４】
近年、歯科用ハンドピースに使用する照明装置の光源に、従来のハロゲンランプなどと比べて消費電力が低く、寿命が長い発光ダイオード（以下、単にＬＥＤと称す。）が注目され、その汎用性が高まっている。しかしながら、ＬＥＤ照明では、ＬＥＤの発光に所定の電圧（電圧変換）が必要で、ＬＥＤとともにこのＬＥＤに電圧を制御して通電する回路基板を併せて備える必要があり、光源内蔵型のカップリングの場合、この回路基板を設置するためのスペースを新たに確保しなければならない、という課題がある。この場合、回路基板の新たな設置に伴って、カップリング内の光源の取付位置や流体通路の接続位置など、各部のレイアウトが変更されると、既存のハンドピースに接続できないため、既存のハンドピースにも利用可能に、カップリング内の各部のレイアウトは変更しないことが好ましい。さらに、回路基板を衝撃や熱などから保護する措置を採ることが望ましい。また、この回路基板をカップリングに容易に取り付けできるようにして、製造コストの上昇を抑える必要もある。
【０００５】
本発明は、このような従来の課題を解決するものであり、この種のカップリングにおいて、カップリング内のスペースを効率よく活用して、カップリング内の各部のレイアウトを変えることなしに、ＬＥＤの回路基板を設置すること、併せて、この回路基板を衝撃や熱などから確実に保護すること、さらに、この回路基板をカップリングに容易に取り付け可能で、製造コストの上昇を抑えること、などを目的とする。
【課題を解決するための手段】
【０００６】
上記目的を達成するために、本発明の光源内蔵型カップリングは、内部に光導伝体を備えたハンドピース本体に接続可能な本体側接続部と、各種流体を供給するチューブに接続可能なチューブ側接続部と、前記光導伝体に対向配置される光源とを備えた光源内蔵型カップリングにおいて、前記光源に、ＬＥＤチップを有する発光部と、前記発光部に電気的に接続され、前記ＬＥＤチップを所定の電圧で通電する基板とを有するＬＥＤ照明装置が採用され、当該ＬＥＤ照明装置の装着形式は、少なくとも前記基板の周囲を包囲可能な筒形形状の光源ケースと、前記光源ケースをその外形に沿って埋め込み可能な光源埋め込み穴とを備え、前記基板が前記光源ケース内に収容保持され、この光源ケースが前記光源埋め込み穴に差し込まれる、ことを要旨とする。
【０００７】
また、この光源内蔵型カップリングは各部に次のような構成が採用されることが好ましい。
（１）基板の一端部に、発光部側の接続端子と接続される基板側の接続端子を備え、光源ケースは、前記基板の周囲をその外形に沿って包囲可能な筒形形状部と、前記筒形形状部の一端から突出され、前記基板側の接続端子をその外形に沿って包囲可能な筒形突状部とを有する。
（２）基板の他端部に電源に接続されるプラグを備え、光源ケースは、当該ケースの他端に一体的に嵌合可能で、かつ前記基板の他端部側を取り囲み、前記プラグを挿通保持可能なケース端部材を併せて備え、このケース端部材により前記ケース内で前記基板が前記プラグとともに固定保持される。
（３）光源ケースの表面又は光源埋め込み穴の内面の一方に前記光源ケースの埋め込み方向に延びる凹状ガイド、他方に当該凹状ガイドに係合可能な凸状ガイドを備え、これら凹状ガイド及び凸状ガイドの係合により、前記光源ケースの前記光源埋め込み穴に対する埋め込み方向を案内し、位置決めする。
（４）チューブ側接続部にチューブから供給される空気又は水の通路を備え、光源埋め込み穴はチューブ側接続部に前記空気又は水の通路に近接して形成され、ＬＥＤ照明装置が前記通路の空気又は水により冷却される。
【発明の効果】
【０００８】
本発明の光源内蔵型カップリングでは、上記の構成により、ＬＥＤ照明装置の基板を光源ケース内に収容保持し、この光源ケースをカップリングの（例えば、チューブ側接続部の連接端面の（軸芯方向に延びる））光源埋め込み穴に差し込んで装着するので、ＬＥＤ照明装置をカップリング（のチューブ側接続部の連接端面）に、（当該連接端面おける）基板の占有面積を最小限に抑えて装着することができ、ハンドピース本体とチューブとの接続構造（当該連接端面の構造）に従来と同じ形式を採ることができ、また、任意に変更することもできる。したがって、このカップリングによるＬＥＤ照明装置の装着形式によれば、ＬＥＤ照明装置（特に基板）をカップリング内のスペースを効率よく活用して、カップリング内の各部のレイアウトを変えることなしに設置することができる。また、この基板を光源ケース内に収容保持して、これを光源埋め込み穴に差し込んで装着するので、基板は光源ケース内で、さらに光源埋め込み穴内で２重に保護され、ハンドピース本体やカップリングに衝撃を受けたり、ハンドピース本体やカップリングの内部で熱が発生したりしても、この基板を確実に保護することができる。さらに、この基板を光源ケース内に収容保持して、これを光源埋め込み穴に差し込むだけで、この基板をカップリングに取り付けることができ、この基板の取付作業を簡易に行え、製造コストの上昇を抑えることができる。
【図面の簡単な説明】
【０００９】
【図１】本発明の一実施の形態における光源内蔵型カップリングの外観を示す斜視図
【図２】同カップリングの構成を示す側面断面斜視図
【図３】（ａ）同カップリングの特にＬＥＤ照明装置、並びにこれを収容保持する光源ケース及びケース端部材の構成を示す前方から見た分解斜視図（ｂ）同カップリングの特にＬＥＤ照明装置、並びにこれを収容保持する光源ケース及びケース端部材の構成を示す後方から見た分解斜視図
【図４】同カップリングの特にチューブ側接続部の本体側接続部に対する連接端面の構成を示す斜視図
【図５】同カップリングを使用する歯科用ハンドピースの一例を示す側面断面図
【発明を実施するための形態】
【００１０】
次に、この発明を実施するための形態について図を用いて説明する。図１乃至図３に光源内蔵型カップリング（以下、単にカップリングという。）の一実施の形態を示している。図１に示すように、カップリング１は、ハンドピース本体に形成された流体通路に連通可能な通路、及びハンドピース本体から導出された光導伝体を通す通路を有し、ハンドピース本体に接続可能な本体側接続部１０と、各種の流体を供給するチューブに連通可能な通路、及び本体側接続部１０に対する連接端面の、本体側接続部１０の光導伝体を通す通路に対向する位置に光源を有し、チューブを接続可能なチューブ側接続部２０とを備え、これら本体側接続部１０とチューブ側接続部２０は連結手段（４０）を介して連結されて、ハンドピース本体の流体通路とチューブとを接続するとともに、ハンドピース本体から導出された光導伝体に光源を対向配置する。なお、この場合、カップリング１は本体側接続部１０とチューブ側接続部２０が、周知のねじ式の連結リング４０により締結されて連接される。また、このカップリング１とハンドピース本体との接続構造に周知のカプラー方式が採用され、カップリング１の本体側接続部１０はハンドピース本体（の後端）に差し込むだけで接続され、カップリング１のコネクターリング３０を後方へ引けば、ハンドピース本体からカップリング１を取り外すことができる。また、このカップリング１とチューブとの接続構造は周知の押えねじ方式が採用され、チューブはカップリング１のチューブ側接続部２０に差し込まれ、このチューブに通されたチューブナット（図示省略）がチューブ側接続部２０のねじ２１に締め込まれて接続され、チューブを取り外す場合は、この反対の操作となる。
【００１１】
図２に示すように、このカップリング１では、光源にＬＥＤ照明装置５が採用される。このＬＥＤ照明装置５は、ＬＥＤチップ（ＬＥＤ素子）を有する発光部６と、発光部６に電気的に接続され、ＬＥＤチップを所定の電圧で通電する回路基板７とを備えて構成される。この場合、発光部６は筒状のケース６０内に先端面からＬＥＤ素子６１、基板６２、端子６３、６４が順次配置されて構成される。ケース６０は全体が透明な合成樹脂材料により円筒状に形成され、先端面が平面状に形成されて閉塞され、これがＬＥＤ素子６１のカバーで発光面６０１になっている。また、ケース６０の後端面は開口６０３になっている。なお、このケース６０の内周面には先端面側に全周方向に凸段部が設けられて、先端面の内側に矩形状の凹部６０２が形成される。ＬＥＤ素子６１はケース６０の先端面内に配置可能にケース６０の内径よりも小さい矩形状のチップとして形成され、ケース６０の先端面内の矩形状の凹部６０２内に嵌め込まれる。基板６２はケース６０内に配置可能にケース６０の内径よりも小さく、ＬＥＤ素子６１よりも少し大きい略円形に形成され、その外周には相互に対向する２箇所に係止溝が円弧状に切り欠かれる。一方の端子６３はカソード（陰極）で、ケース６０内に配置可能にケース６０の内径より少し小さい小径部と、この小径部に連続して、ケース６０の内径と略同じか僅かに小さい大径部とを有し、全体が段付きの略円筒状に形成される。そして、小径部側の開口端面の外周には相互に対向する２箇所に基板６２の各係止溝に係合可能な係止爪が突出形成され、さらに、これらの係止爪に対して９０度方向の位置にそれぞれ凹部が形成される。また、大径部の外周面は凹凸状に形成される。このようにしてカソード６３の小径部の開口端面上に基板６２が、開口端面側の各係止爪と基板６２側の各係止溝とを係合されて、支持される。他方の端子６４はアノード（陽極）で、カソード６３の軸芯上に配置可能に全体がピン状に形成され、また一端にフランジが形成され、他端にテーパが付けられる。このアノード６４は端子台６５を介してカソード６３内に組み込まれる。この端子台６５は絶縁材からなり、カソード６３の小径部内に嵌合可能に形成され、一端面にアノード６４のフランジが嵌合可能な凹部が併せて形成される。このようにしてアノード６４は端子台６５の軸芯上に通され、フランジが（端子台６５の）一端面の凹部内に支持され、他端が（端子台６５の）他端面から突出される。このアノード６４は端子台６５がカソード６３の小径部内に一体的に嵌め込まれてカソード６３内の軸芯上に配置され、一端のフランジが基板６２に接続される。このようにケース６０内に発光面６０１からＬＥＤ素子６１、基板６２、カソード６３及びアノード６４が組み立てられる。回路基板７は全体が略矩形状に構成され、一端部（の一方の側部側）に発光部６側の端子６３、６４と接続される回路基板７側の接続端子７１、７２を備え、他端部（の他方の側部側）に電源に接続されるプラグ７３、７４（図３参照）を備える。回路基板７側の接続端子７１、７２は２重の円筒構造を採り、内側の接続端子７１が発光部６のアノード６４が挿着可能に小径の円筒状に形成され、外側の接続端子７２が内側の接続端子７１の外側に絶縁部材を介して重ねて配置され、カソード６３の内周面が被着可能に大径の円筒状に形成され、この場合、外側の接続端子７２の接続端側が複数の分割片からなり、外周方向から内周方向への外力により内方に向けて圧縮可能に、また当該外力の解除により初期の状態に弾性復帰可能に構成される。このようにして発光部６側のアノード６４を、回路基板７側の内側の接続端子７１に向けて、カソード６３（の大径部）を外側の接続端子７２の上から被せ付けるようにして、両者を接続することにより、発光部６側のアノード６４が回路基板７側の内側の接続端子７１に差し込まれて接続されるとともに、カソード６３（の大径部）が外側の接続端子７２の外周面に圧接して接続され、この状態がカソード６３（の大径部）と外側の接続端子７２との弾性係合により保持される。また、回路基板７側のプラグ７３、７４は回路基板７の他端部から接続端子７１、７２とは反対方向に平行に突出される。
【００１２】
このＬＥＤ照明装置５の装着形式では、カップリング１に一体的な付属部品で、少なくとも回路基板７の周囲を包囲可能な筒形形状の光源ケース１１と、カップリング１のチューブ側接続部２０の本体側接続部１０に対する連接端面の、本体側接続部１０の光導伝体を通す通路、この場合、本体側接続部１０の軸芯上の通路１００に対向する位置に、チューブ側接続部２０の軸方向に向けて光源ケース１１の筒形形状に対応する筒状に形成され、光源ケース１１をその外形に沿って埋め込み可能な光源埋め込み穴１８とを備え、回路基板７が光源ケース１１内に収容保持され、この光源ケース１１がカップリング１のチューブ側接続部２０の光源埋め込み穴１８に差し込まれる。この場合、光源ケース１１は、図３に示すように、回路基板７の周囲をその外形に沿って包囲可能な両側面形状が略矩形状の筒形形状部１２と、筒形形状部１２の一端で一方の側部側から（円）筒状に突出され、回路基板７側の接続端子７１、７２をその外形に沿って包囲可能な筒形突状部１３とを有し、筒形形状部１２の一端で他方の側部側は閉塞され、筒形形状部１２の他端は開口１４が形成される。このようにしてＬＥＤ照明装置５は回路基板７が一端側から光源ケース１１の他端開口１４に挿通されて光源ケース１１内に収容され、回路基板７の一端の接続端子７１、７２が筒形突状部１３内に挿通されて当該接続端子７１、７２の接続口が筒形突状部１３の開口端から突出される。この接続端子７１、７２に、既述のとおり、発光部６を（ケース６０の）開口６０３から被せ付けることにより、カソード６３内のアノード６４が内側の接続端子７１に挿通して接続されるとともに、カソード６３の（大径部の）内周面が外側の接続端子７２の外側に圧接して接続され、この状態が発光部６の（ケース６０の）開口６０３（すなわち、カソード６３の大径部下部）と外側の接続端子７２との弾性係合により保持される。また、この光源ケース１１には、図３に示すように、ケース端部材１５を併せて備える。このケース端部材１５はケース１１の他端開口１４に一体的に嵌合可能な小ブロックで、その一方の面に回路基板７の他端部を取り囲み可能な枠形状部１５１を有するとともに、この枠形状部１５１を有する面から反対側の面に向けて、かつ当該反対側の面から突状に回路基板７のプラグ７３、７４を挿通保持可能な筒状部１５２を有する。このケース端部材１５の枠形状部１５１に回路基板７の他端が取り囲み保持されるとともに、このケース端部材１５の筒状部１５２にプラグ７３、７４が挿通保持されて、回路基板７が光源ケース１１内に収容され、このケース端部材１５が光源ケース１１の他端開口１４に嵌合固定されることにより、光源ケース１１内に回路基板７が固定され、併せてこの回路基板７のプラグ７３、７４がその延びる方向に保持されて光源ケース１１の他端から外部に突出される。
【００１３】
また、このカップリング１の場合、光源ケース１１の表面、この場合、一方の側面にこの光源ケース１１の光源埋め込み穴１８に対する埋め込み方向に延びる凹状ガイド１６を備え、光源埋め込み穴１８の内面、この場合、一方の側面に当該凹状ガイド１６に係合可能な凸状ガイド１９（図４参照）を備え、これら凹状ガイド１６及び凸状ガイド１９により光源ケース１１の光源埋め込み穴１８に対する埋め込み方向を案内し、位置決めする。なお、凹状ガイドは光源埋め込み穴１８の内面（一方の側面）に設けられ、凸状ガイドは光源ケース１１の表面（一方の側面）に設けられてもよい。さらに、この場合、光源ケース１１の一端側には光源埋め込み穴１８に対する挿入始端を表示し、また位置決めする突状部１７が併せて設けられる。
【００１４】
さらに、このカップリング１は、図４に示すように、流体の通路として空気及び水の通路、この場合、給気路２２、排気路２３、チップエアー通路２４、給水路２５を備え、光源埋め込み穴１８はカップリング１のチューブ側接続部２０の連接端面に空気又は水の通路（２２、２３、２５）に近接して又はこれらの通路の間に形成され、ＬＥＤ照明装置５がこれら通路（２２、２３、２５）の空気又は水により冷却可能に装着される。
【００１５】
このようにして回路基板７は光源ケース１１の筒形形状部１２内に収容保持され、回路基板７の接続端子７１、７２は筒形突状部１３内に挿通保持されて接続端子７１、７２の接続口が筒形突状部１３上に突出され、この接続端子７１、７２に発光部６の開口６０３が被着されて発光部６の端子６３、６４が接続される。そして、この光源ケース１１はカップリング１の光源埋め込み穴１８に、光源ケース１１側の突状部１７、及び光源ケース１１側の凹状ガイド１６と光源埋め込み穴１８側の凸状ガイド１９とを案内にして、光源ケース１１の一端側から差し込まれて装着され、発光部６がカップリング１のチューブ側接続部２０の連接端面（軸芯）上に突出される。
【００１６】
図５にこのカップリング１を用いた歯科用ハンドピースを例示している。図５に示すように、歯科用ハンドピース８はハンドピース本体８１内（の後端と先端との間）に給気、排気、給水など各種の流体を通す流体通路が形成され、また、このハンドピース本体８１の先端に取り付けられる歯科用工具を臨む先端側所定の位置と後端との間に光ファイバー（光導伝体）８２が配設されて、その光の入射端（受光面）８２０がハンドピース本体８１の後端軸芯上に配置されている。このハンドピース本体８１の後端に、カップリング１を介して、給気、排気、給水など各種の流体を供給するチューブが接続され、また、ハンドピース本体８１から導出され、（このハンドピース本体８１の軸芯上の）カップリング１の本体側接続部１０の通路１００を通された光ファイバー８２の受光面８２０に、カップリング１の本体側接続部１０に対するチューブ側接続部２０の連接端面に装着された発光部６が対向配置される。
【００１７】
以上説明したように、このカップリング１では、ＬＥＤ照明装置５の回路基板７を光源ケース１１内に収容保持し、この光源ケース１１をカップリング１の（軸芯方向に延びる）光源埋め込み穴１８に差し込んで装着するので、ＬＥＤ照明装置５をカップリング１（のチューブ側接続部２０の連接端面）に、（当該連接端面おいて）回路基板７の占有面積を必要最小限に抑えて装着することができる。これにより、このカップリング１によるハンドピース本体とチューブとの接続構造に従来と同じ形式を採ることができ、また、任意に変更することもできる。したがって、このカップリング１によるＬＥＤ照明装置５の装着形式によれば、ＬＥＤ照明装置５（特に回路基板７）をカップリング１内のスペースを効率よく活用して、カップリング１内の各部のレイアウトを変えることなしに、有効に設置することができ、このカップリング１を従来の照明装置を備えた各種ハンドピースにも同様に適用することができる。また、この回路基板７を光源ケース１１内に収容保持して、これを光源埋め込み穴１８に挿着するので、回路基板７は光源ケース１１内で、さらに光源埋め込み穴１８内で２重に保持され、ハンドピース本体やカップリング１に衝撃を受けたり、ハンドピース本体やカップリング１の内部で熱が発生したりしても、この回路基板７を確実に保護することができ、部品の寿命を長く維持することができる。さらに、この回路基板７を光源ケース１１内に収容保持して、これを光源埋め込み穴１８に差し込むだけで、この回路基板７をカップリング１に取り付けることができるので、この回路基板７の取付作業を簡易に行え、製造コストの上昇を抑えることができる。
【００１８】
また、このカップリング１では、光源ケース１１が、回路基板７の周囲をその外形に沿って包囲可能な筒形形状部１２と、筒形形状部１２の一端から突出され、回路基板７側の接続端子７１、７２をその外形に沿って包囲可能な筒形突状部１３とを有し、この光源ケース１１で回路基板７とともに接続端子７１、７２を保護するので、カップリング１とハンドピース本体との取り付け又は取り外しの際に、接続端子７１、７２に不測の損傷を防止することができ、部品の寿命を長く維持することができる。さらに、この光源ケース１１は、このケース１１の他端に嵌合可能で、かつ回路基板７の他端部側を取り囲み、プラグ７３、７４を挿通保持可能なケース端部材１５を併せて備え、このケース端部材１５によりケース１１内で回路基板７を固定し、プラグ７３、７４を保持してケース１１の他端から外部に突出させるので、光源ケース１１内に回路基板７を接続端子７１、７２、及びプラグ７３、７４とともに、ガタつくことなく確実に固定保持することができる。
【００１９】
さらに、このカップリング１では、光源ケース１１の表面又は光源埋め込み穴１８の内面の一方に光源ケース１１の埋め込み方向に延びる凹状ガイド１６、他方に当該凹状ガイド１６に係合可能な凸状ガイド１９を備え、これら凹状ガイド１６及び凸状ガイド１９の係合により、光源ケース１１の光源埋め込み穴１８に対する埋め込み方向を案内し、位置決めするので、カップリング１におけるＬＥＤ照明装置５の取り付け作業が容易で、ＬＥＤ照明装置５の各部を誤った方向に取り付けることがなく、また、ＬＥＤ照明装置５を光源ケース１１内の所定の位置に正しく設置することができる。このＬＥＤ照明装置５の位置決めにより、ＬＥＤに色ムラを生じることなく発光させることができる。さらに、この光源埋め込み穴１８はカップリング１の空気又は水の通路に近接して形成され、ＬＥＤ照明装置５がこれらの通路の空気又は水により冷却されるので、カップリング１内にＬＥＤ照明装置５を冷却するための特別の装置を設置する必要がなく、ＬＥＤ照明装置５の熱による損傷を効率的に、より確実に防止することができ、部品の寿命を長く維持することができる。
【００２０】
またさらに、カップリング１におけるＬＥＤ照明装置５、回路基板７はコネクタ接続で交換可能な構成であるため、発光色など特性の異なるＬＥＤ素子への変更、回路基板７の変更に柔軟に対応できる。
【００２１】
なお、この実施の形態では、チューブ側接続部２０の本体側接続部１０に対する連接端面に、本体側接続部１０の光導伝体を通す通路に対向してＬＥＤ照明装置５を装着する形式のカップリング１を例示し、回路基板７を光源ケース１１内に収容保持し、この光源ケース１１をチューブ側接続部２０の連接端面に形成した光源埋め込み穴１８に差し込むようにしたが、本発明は、本体側接続部の先端にＬＥＤ照明装置を装着する形式のカップリングにも同様に適用することができ、この場合、回路基板を光源ケース内に収容保持し、この光源ケースを本体側接続部又はチューブ側接続部に形成した光源埋め込み穴に差し込めばよく、このようにしても上記実施の形態と同様の作用効果を奏することができる。
【符号の説明】
【００２２】
１  カップリング
１０  本体側接続部
１００  光導伝体を通す通路
１１  光源ケース
１２  筒形形状部
１３  筒形突状部
１４  開口
１５  ケース端部材
１５１  枠形状部
１５２  筒状部
１６  凹状ガイド
１７  突状部
１８  光源埋め込み穴
１９  凸状ガイド
２０  チューブ側接続部
２１  ねじ
２２  給気路
２３  排気路
２４  チップエアー通路
２５  給水路
３０  コネクターリング
４０  連結リング
５  ＬＥＤ照明装置
６  発光部
６０  ケース
６０１  発光面
６０２  凹部
６０３  開口
６１  ＬＥＤ素子
６２  基板
６３  端子（カソード）
６４  端子（アノード）
６５  端子台
７  回路基板
７１  （内側の）接続端子
７２  （外側の）接続端子
７３、７４  プラグ
８  歯科用ハンドピース
８１  ハンドピース本体
【図１】
2010201045.tif 000003
【図２】
2010201045.tif 000004
【図３】
2010201045.tif 000005
【図４】
2010201045.tif 000006
【図５】
2010201045.tif 000007